(57)【特許請求の範囲】
【請求項１】
進入追跡システムであって、
ｉ）前記進入追跡システムにログインしているデータプロバイダから位置およびいかなる害虫が位置するのかどうかを示すデータを含む作業データを受信する、そして、ｉｉ）（ａ）警報システムに加入したユーザから関心のある資産に関する資産データであって、関心のある各資産の前記資産データは、前記資産のアドレスまたは位置を示す、資産データ、および（ｂ）前記資産と関連したユーザのためのコンタクト情報を受信する、ように調整されるデータ受信機、
前記作業データの受信に際して、ｉ）受信した前記作業データを含むこと、そしてログインアカウントに基づいて前記データプロバイダのデータプロバイダデータを自動的に付加することによって、地理的マッチングプロセスに基づいて前記位置に対応する記録を決定する際に、受信した前記作業データにしたがってデータベースの既存の記録を更新する、ｉｉ）受信した前記作業データを含むこと、そしてログインアカウントに基づいて前記データプロバイダのデータプロバイダデータを自動的に付加することによって、地理的マッチングプロセスに基づいて前記位置に対応する記録が存在しないと決定する際に、受信した前記作業データにしたがって前記データベースに新しい記録を作成する、そして、ｉｉｉ）前記作業データの受信に応じて、地理的マッチングプロセスに基づいて、関心のあるいかなる資産が前記更新された記録または前記新しい記録に対応する危険領域にあるかどうか決定する、ように調整されるモジュール、および、
前記モジュールが１つ以上の資産が危険領域にあることを決定する際に、前記資産と関連したユーザのための前記コンタクト情報を用いてそれぞれのユーザに対して、前記更新された記録または前記新しい記録に基づいて、前記作業データを入力した前記データプロバイダの詳細を含む通知であって、前記データプロバイダの詳細は、電話番号、ファックス番号、電子メール・アドレス、物理アドレスおよびウェブサイト・アドレスのうちの少なくとも１つを含む、通知を送信するように調整されるデータ送信機、
を含む、進入追跡システム。
【請求項２】
前記地理的マッチングプロセスは、前記記録が前記作業データまたは資産データに対応するかどうか決定するために、前記記録の郵便番号を前記作業データまたは資産データの郵便番号と比較する、請求項１に記載の追跡システム。
【請求項３】
前記地理的マッチングプロセスは、前記記録が前記作業データまたは資産データに対応するかどうか決定するために、前記記録の通りの名前を前記作業データまたは資産データの通りの名前と比較する、請求項１または２に記載の追跡システム。
【請求項４】
前記地理的マッチングプロセスは、前記記録が前記作業データまたは資産データに対応するかどうか決定するために、前記記録に基づく領域を前記作業データまたは資産データに基づく領域と比較する、請求項１〜３のいずれか１項に記載の追跡システム。
【請求項５】
前記領域は、前記位置またはアドレスを中心として半径を有する円によって定義される、請求項４に記載の追跡システム。
【請求項６】
前記円の半径は、問題の害虫または種、および周知の巣または進入の特性に応じる、請求項５に記載の追跡システム。
【請求項７】
クライアント・デバイスの画面上に広告を表示するように調整される、請求項１〜６のいずれか１項に記載の追跡システム。
【請求項８】
前記表示される広告は、前記データプロバイダの広告である、請求項７に記載の追跡システム。
【請求項９】
前記表示される広告は、前記データの前記位置に関する広告である、請求項７または８に記載の追跡システム。
【請求項１０】
前記位置を示すデータは、前記作業データを入力するのに使用するクライアント・デバイスのＧＰＳデータに由来する、請求項１〜９のいずれか１項に記載の追跡システム。
【請求項１１】
前記モジュールは、前記データベースに維持される情報を有するために、請求書または検査文書に対して確かめられることができる参照番号のような人工産物を提供することをユーザに要求するように構成される、請求項１〜１０のいずれか１項に記載の追跡システム。
【請求項１２】
追跡モジュールであって、
作業データの受信への応答であって、
受信した作業データを含むこと、そしてログインアカウントに基づいてデータプロバイダのデータプロバイダデータを自動的に付加することにより、地理的マッチングプロセスに基づいて位置に対応する記録を決定する際に、少なくとも進入の位置または他の関心のある項目を示す受信した作業データにしたがってデータベースの既存の記録を更新すること、
受信した作業データを含むこと、そしてログインアカウントに基づいてデータプロバイダのデータプロバイダデータを自動的に付加することにより、地理的マッチングプロセスに基づいて位置に対応する記録が存在しないと決定する際に、受信した作業データにしたがってデータベースに新しい記録を作成すること、
によって、進入追跡システムにログインしている前記データプロバイダからの位置およびいかなる害虫が位置するのかどうかを示すデータを含む作業データの受信に応答する、
地理的マッチングプロセスに基づいて、警報システムに加入したユーザにより登録された関心のある資産であって、関心のある各資産の資産データは、前記資産のアドレスまたは位置を示す、いかなる資産が前記更新された記録または前記新しい記録に対応する危険領域にあるかどうか決定する、および、
１つ以上の資産が危険領域にあることを決定する際に、前記更新された記録または前記新しい記録に基づいて、前記作業データを入力した前記データプロバイダの詳細を含む通知であって、前記データプロバイダの詳細は、電話番号、ファックス番号、電子メール・アドレス、物理アドレスおよびウェブサイト・アドレスのうちの少なくとも１つを含む、通知を送信させる、
ように調整される、追跡モジュール。
【請求項１３】
追跡方法であって、
進入追跡システムにログインしているデータプロバイダから少なくとも位置およびいかなる害虫が位置するのかどうかを示す作業データを追跡モジュールで受信する工程、
受信した前記作業データを含むこと、そしてログインアカウントに基づいて前記データプロバイダのデータプロバイダデータを自動的に付加することによって、地理的マッチングプロセスに基づいて前記位置に対応する記録を決定する際に、受信した前記作業データにしたがってデータベースの既存の記録を更新する工程、
受信した前記作業データを含むこと、そしてログインアカウントに基づいて前記データプロバイダのデータプロバイダデータを自動的に付加することによって、地理的マッチングプロセスに基づいて前記位置に対応する記録が存在しないと決定する際に、受信した前記作業データにしたがって前記データベースに新しい記録を作成する工程、
警報システムに加入したユーザから関心のある資産に関する資産データであって、関心のある各資産の前記資産データは、前記資産のアドレスまたは前記資産の位置を示す、資産データ、および前記資産と関連したユーザのためのコンタクト情報を前記モジュールで受信する工程、
前記作業データの受信に応じて、関心のあるいかなる資産が前記更新された記録または前記新しい記録に対応する危険領域にあるかどうか前記モジュールで決定する工程、
前記モジュールが１つ以上の資産が危険領域にあることを決定する際に、前記資産と関連したユーザのための前記コンタクト情報を用いてそれぞれのユーザに対して、前記更新された記録または前記新しい記録に基づいて、前記作業データを入力した前記データプロバイダの詳細を含む通知であって、前記データプロバイダの詳細は、電話番号、ファックス番号、電子メール・アドレス、物理アドレスおよびウェブサイト・アドレスのうちの少なくとも１つを含む、通知を送信する工程、
を含む、追跡方法。
【請求項１４】
前記地理的マッチングプロセスは、前記記録が前記作業データまたは資産データに対応するかどうか決定するために、前記記録の通りの名前を前記作業データまたは資産データの通りの名前と比較する、請求項１３に記載の追跡方法。
【請求項１５】
前記地理的マッチングプロセスは、前記記録が前記作業データまたは資産データに対応するかどうか決定するために、前記記録に基づく領域を前記作業データまたは資産データに基づく領域と比較する、請求項１３または１４に記載の追跡方法。
【請求項１６】
前記領域は、前記位置またはアドレスを中心として半径を有する円によって定義される、請求項１３〜１５のいずれか１項に記載の追跡方法。
【請求項１７】
クライアント・デバイスの画面上に広告を表示する工程を含む、請求項１３〜１６のいずれか１項に記載の追跡方法。
【請求項１８】
前記広告は、前記データプロバイダの広告である、請求項１７に記載の追跡方法。
【請求項１９】
前記広告は、前記データの前記位置に関する広告である、請求項１７または１８に記載の追跡方法。
【請求項２０】
前記位置を示すデータは、前記作業データを入力するのに使用するクライアント・デバイスのＧＰＳデータに由来する工程を含む、請求項１３〜１９のいずれか１項に記載の追跡方法。
【請求項２１】
前記データベースに維持される情報を有するために、請求書または検査文書に対して確かめられることができる参照番号のような人工産物を提供することをユーザに要求する工程を含む、請求項１３〜２０のいずれか１項に記載の追跡方法。
【請求項２２】
実行されるときに、請求項１３〜２１のいずれか１項に記載の方法を実施するコンピュータプログラムコード。
【請求項２３】
請求項２２に記載のコンピュータプログラムコードを含むコンピュータ可読媒体。
【発明の詳細な説明】
【技術分野】
【０００１】
本発明は、一般に、追跡システムおよび方法に関し、排他的にではないが、特に、シロアリおよび他の適用のための追跡システムおよび方法に関する。
【背景技術】
【０００２】
シロアリのような害虫のコロニーは、住宅および他の建物に群棲する（ｉｎｆｅｓｔ）ことができて、相当な構造的および表面的損害を引き起こすことができる。この種の害虫は、新しい食物源を捜して移動することもできる。そしてそれは、群棲する建物に近位の建物が潜在的に危険にさらされていることを意味する。近位の群棲（ｉｎｆｅｓｔａｔｉｏｎ）により資産が危険にさらされているかどうかについて知っていることは、資産の所有者または他の利害関係者にとって困難でありえる。
【発明の概要】
【課題を解決するための手段】
【０００３】
第１の広い態様において、本発明は、追跡システムであって、
ｉ）少なくとも進入（ｉｎｆｅｓｔａｔｉｏｎ）の位置またはデータプロバイダからの他の関心のある項目を示す作業データを受信する、そして、ｉｉ）クライアント・デバイスからアドレスまたは位置を示す資産データを受信する、ように調整されるデータ受信機、
ｉ）地理的マッチングプロセスに基づいて位置に対応する記録を決定する際に、受信した作業データにしたがってデータベースの既存の記録を更新する、ｉｉ）地理的マッチングプロセスに基づいて位置に対応する記録が存在しないと決定する際に、受信した作業データにしたがってデータベースに新しい記録を作成する、そして、ｉｉｉ）地理的マッチングプロセスに基づいてアドレスに対応する記録を決定する際に、位置に対応するデータベースから記録を引き出す、ように調整されるモジュール、および、
引き出された記録をユーザへの出力のためのクライアント・デバイスに送信するように調整されるデータ送信機、
を含む、追跡システムを提供する。
【０００４】
実施形態において、地理的マッチングプロセスは、記録が作業データまたは資産データに対応するかどうか決定するために、記録の郵便番号を作業データまたは資産データの郵便番号と比較する。
【０００５】
実施形態において、地理的マッチングプロセスは、記録が作業データまたは資産データに対応するかどうか決定するために、記録に基づく領域を作業データまたは資産データに基づく領域と比較する。
【０００６】
実施形態において、領域は、位置またはアドレスを中心として定義済み半径を有する円によって定義される。
【０００７】
実施形態において、データは、クライアント・デバイスの画面上に表示されるように調整される。
【０００８】
実施形態において、追跡システムは、クライアント・デバイスの画面上に広告を表示するように調整される。
【０００９】
実施形態において表示される広告は、データプロバイダの広告である。
【００１０】
実施形態において、表示される広告は、データの前記位置に関する広告である。
【００１１】
実施形態において、モジュールは、インターネットを介して、スマートフォンまたはクライアント・デバイスにインストールされたコンピュータ・アプリケーションと通信するように調整される。
【００１２】
実施形態において、モジュールは、インターネットを介して、クライアント・デバイスにインストールされたウェブ・ブラウザと通信するように調整される。
【００１３】
第２の広い態様において、本発明は、追跡モジュールであって、
地理的マッチングプロセスに基づいて位置に対応する記録を決定する際に、少なくとも進入の位置または他の関心のある項目を示す作業データにしたがってデータベースの既存の記録を更新する、
地理的マッチングプロセスに基づいて位置に対応する記録が存在しないと決定する際に、受信した作業データにしたがってデータベースに新しい記録を作成する、そして、
地理的マッチングプロセスに基づいてアドレスに対応する記録を決定する際に、位置に対応するデータベースから記録を引き出す、
ように調整される、追跡モジュールを提供する。
【００１４】
第３の広い態様において、本発明は、追跡方法であって、
少なくとも進入の位置またはデータプロバイダからの他の関心のある項目を示す作業データをモジュールで受信する工程、
受信した作業データにしたがってデータベースの記録を修正する工程、
クライアント・デバイスから資産のアドレスまたは位置を示す資産データをモジュールで受信する工程、
記録からアドレスに対応するデータを引き出す工程、および、
引き出されたデータをユーザへの出力のためのクライアント・デバイスに送信する工程、
を含む、追跡方法を提供する。
【００１５】
実施形態において、記録が同じ通り上の資産に関する場合、そのデータを前記アドレスに対応させて決定する工程を含む。
【００１６】
実施形態において、アドレスが記録の危険領域に入る場合、そのデータをアドレスに対応させて決定する。
【００１７】
実施形態において、クライアント・デバイスの画面上にデータを表示する工程を含む。
【００１８】
実施形態において、クライアント・デバイスの画面上に広告を表示する工程を含む。
【００１９】
実施形態において、広告は、データプロバイダの広告である。
【００２０】
実施形態において、広告は、データの位置に関する広告である。
【００２１】
実施形態において、追跡システムは、モジュールとスマートフォンまたはクライアント・デバイスにインストールされたコンピュータ・アプリケーションとの間でインターネットを介して通信する工程を含む。
【００２２】
実施形態において、追跡システムは、モジュールとクライアント・デバイスにインストールされたウェブ・ブラウザとの間でインターネットを介して通信する工程を含む。
【００２３】
第４の広い範囲において、本発明は、実行されるときに、第３の広い範囲の方法を実施するコンピュータプログラムコードを提供する。
【００２４】
第５の広い範囲において、本発明は、第４の広い範囲のコンピュータプログラムコードを含むコンピュータ可読媒体を提供する。
【００２５】
本発明がより明らかに確認されてもよいために、実施形態は、例として、添付図面を参照してここで記載される。
【図面の簡単な説明】
【００２６】
【図１】図１は、本発明の追跡システムの実施形態のブロック図である。
【図２】図２は、図１の本発明のユーザに示されるＧＵＩ（グラフィカルユーザインターフェース）の実例である。
【図３】図３は、ユーザが害虫防除者情報にリンクをクリックした後の図２のＧＵＩの実例である。
【図４】図４は、図１の本発明の代わりのＧＵＩの実例である。
【図５】図５は、スマートフォン上に示される図１の本発明の実施形態のＧＵＩの実例である。
【発明を実施するための形態】
【００２７】
本発明は、一般に、関心のある領域（例えば住宅地）において周知の害虫群棲（例えばシロアリのコロニー）の場所を記録するかまたは追跡するように調整される追跡システムおよび方法に関する。しかしながら、追跡システムは、住宅のアスベストの例となる場所を追跡するか、家畜の病気を追跡するか、または植物（例えば作物）の病気を追跡するような、さらなる適用を有してもよい。データベースのデータをアップロードするか、修正するか、または削除することによって、害虫群棲は、概して記録される。追跡システムは、ｉ）概して住宅所有者または居住者であり、彼等の資産に対する群棲のリスクに関心を持っている主要なユーザ、ｉｉ）彼等がする作業に基づいてシステムに対して群棲データを概して提供する害虫防除者（ｐｅｓｔ  ｃｏｎｔｒｏｌｌｅｒ）、およびｉｉｉ）資産または関心のある領域に関してより情報に基づいた商業的決定をするためにシステムを概して使用する住宅ローン金融業者のような第三者ユーザ、のような多くの異なるタイプのユーザによって用いられてもよい。
【００２８】
この明細書において、実施形態は、シロアリ群棲（ｔｅｒｍｉｔｅ  ｉｎｆｅｓｔａｔｉｏｎ）を記録して、防除することに関して記載されている。しかし、本発明は、他のいかなる適切な害虫襲来（ｐｅｓｔ  ｉｎｆｅｓｔａｔｉｏｎ）（例えばゴキブリ、ゾウムシ、齧歯動物または毒グモの襲来、あるいはそれらの任意の組合せ）も追跡して、防除することに適用されてもよい。いくつかの実施形態では、進入追跡システムは、植物進入（ｐｌａｎｔ  ｉｎｆｅｓｔａｔｉｏｎ）（例えばシャゼンムラサキ（またはパターソンの悪態）雑草進入）を記録して、防除するために用いてもよい。
【００２９】
図１を参照する。追跡システムは、関連するデータベース４と通信するサーバ２上に設けられもよい。サーバ２は、ｉ）ユーザまたはデータプロバイダからデータを受信するように調整されるデータ受信機、およびｉｉ）ユーザまたはクライアント・デバイス８にデータを送信するように調整されるデータ送信機を備える。サーバ２はまた、ｉ）ユーザからのデータ要求、データプロバイダからの新しいまたは修正されたデータ、およびデータベース４からの生データ、のような入力を受信する、ｉｉ）受信したデータ要求、新しいデータおよび生データを処理する、およびｉｉｉ）群棲データまたは他のデータのような出力をユーザに送信する、ように調整されたモジュール６を備える。しかしながら、モジュール６は、任意の好適な仕方で、または任意の適切なコンピュータまたはマシンの一部として設けられてもよい。
【００３０】
モジュール６は、概してソフトウェアを用いて実施されるが、代わりに、ハードウェアまたはソフトウェアおよびハードウェアの組合せを使用して、あるいは他の任意の好適な仕方で実施されてもよい。モジュール６は、任意の適切なコンピュータプログラムコードまたは任意の適切なプログラミング言語を使用して実施されてもよい。コンピュータプログラムコードは、ハードディスクドライブ（ＨＤＤ）、ソリッド・ステート・ドライブ（ＳＳＤ）、またはランダムアクセスメモリ（ＲＡＭ）のようなコンピュータ可読媒体上に、概して格納される。
【００３１】
ユーザは、適切なネットワーク１０（例えばローカル・エリア・ネットワーク（ＬＡＮ）または広域ネットワーク（ＷＡＮ））を通じてモジュール６と通信するように調整される携帯電話またはコンピュータのようなクライアント・デバイス８を通して、群棲追跡システムに概してアクセスする。しかし、概してクライアント・デバイス８は、インターネットを通じて群棲追跡システムと通信する。モジュール６およびクライアント・デバイス８を含むサーバ２は、配線接続を通してまたは無線接続を通してネットワーク１０に接続してもよい。
【００３２】
ユーザは、スマートフォン８ａ上にインストールされたモバイルアプリケーション、あるいはデスクトップコンピュータ８ｂまたはラップトップコンピュータ８ｃ上にインストールされたアプリケーションを用いて、群棲追跡システムにアクセスしてもよいしまたはそれと対話してもよい。代わりに、ユーザは、スマートフォン８ａ、デスクトップコンピュータ８ｂまたはラップトップコンピュータ８ｃ上にインストールされたウェブ・ブラウザ上の関連する群棲追跡システムウェブサイトに対してナビゲートすることによって、群棲追跡システムにアクセスしてもよいしまたはそれと対話してもよい。しかしながら、ユーザは、他のいかなる好適な仕方でも群棲追跡システムにアクセスしてもよいしまたはそれと対話してもよい。
【００３３】
図２は、スマートフォンまたはコンピュータを介してユーザ（例えば主要なユーザ）に提供される実施形態のグラフィカルユーザーインタフェース（ＧＵＩ）を示す。ＧＵＩは、モジュールへの送信のための資産位置データ（本明細書では資産データ）を受信するように調整される。資産データは、ユーザまたは任意の好適な仕方でのユーザによる入力から受信されてもよい。この種の群棲がとりわけ、ｉ）資産の価値に影響を及ぼすかもしれず、ｉｉ）この種の群棲によって生じる資産への潜在的損害を示すかもしれず、ｉｉｉ）近くに群棲がある場合には、先回りした害虫コントロールが必要とされてよいことを示すかもしれないので、主要なユーザは、例えば、彼等が所有する資産のまわりまたはその近くにおいて周知のシロアリ群棲活動に関心を持っていてもよい。ウェブ・ブラウザにおいてまたは他の任意の好適な仕方において、ＧＵＩは、アプリケーションの一部としてクライアント・デバイス上に実施されてもよい。
【００３４】
追跡システムがアスベストの場所を追跡するために用いられる実施形態では、アスベストの存在がｉ）資産の価値に影響を及ぼすかもしれず、ｉｉ）潜在的な健康リスクに居住者をさらすことを示すかもしれないので、主要なユーザは、関心を持っていてもよい。進入追跡システムが農業（例えば家畜または作物の進入または病気）に用いられる実施形態では、この種の進入または病気の存在がｉ）農業遺産の価値に影響を及ぼすかもしれず、ｉｉ）家畜の移動または作物への噴霧が生じることを必要とするかもしれないなどのいくつかの種類の行動を示すかもしれず、ｉｉｉ）それらの農業遺産が感染の危険にさらされていることを示すかもしれないので、主要なユーザは、関心を持っていてもよい。
【００３５】
実施形態において、ＧＵＩは、ユーザが関心のある資産の郵便番号を入力することができるように調整される郵便番号テキストボックス１２を提供してよい。郵便番号テキストボックス１２は、有効な郵便番号のエントリに際して、郊外、土地、地区または他の適切な地理的細区分の名前を用いてそれ自体を自動的に更新してもよい。そして、この種の名前は、データベースから抽出されてもよく、または他の任意の適切な仕方で獲得されてもよい。ＧＵＩは、ユーザが関心のある資産の通りの名前を入力することができるように調整される通りの名前テキストボックス１４を提供してもよい。入力される通りの名前は、妥当性のための通りの名前データベースと照合されてもよい。
【００３６】
ＧＵＩは、ユーザが通りのタイプ（例えば「道」、「ストリート」、「アベニュー」、「コート」、「クレセント」、「レーン」など）を入力することができるように調整される、通りのタイプ・テキストボックス１６を提供してもよい。代わりに、ユーザが通りのタイプを入力することができるように、ＧＵＩは、ドロップダウン・リストまたは他の任意の適切なＧＵＩ部品または制御要素を提供してもよい。ＧＵＩは、ユーザが関心のある資産に対応するかまたはそれを識別する番号（例えば、郵便または物理的アドレスの一部である住宅の番号または通りの番号）を入力することができるように調整される番号テキストボックス１８を提供してもよい。番号データは、マルチ資産建物（例えばアパートまたは共同住宅またはユニット）における特定の資産に関連する情報を含んでもよいし含まなくてもよい。ＧＵＩは、後で詳しく述べるように、クライアント・デバイスをモジュールと通信させるかまたは対話させる検索ボタン２０を提供してもよい。
【００３７】
特定のユーザ問い合わせのための資産データは、受信した郵便番号、通りの名前、通りのタイプおよび番号データを含んでよい。そしてそれらの変数は、記憶または送信のための他の任意の好適な仕方で解析されてよく、コード化されてよくまたは処理されてよい。しかしながら、資産データは、資産を一意に識別することができる任意の適切なデータを含んでよい。
【００３８】
他の実施態様において、ユーザが関心のある資産に関連した資産データを一意に識別することができて、入力することができるように、ＧＵＩは、任意の好適な仕方で調整されてよい。例えば、実施形態において、テキストボックスは、ＧＵＩの最上位に番号テキストボックス１８が示されてよく、続いて通りの名前テキストボックス１４、次いで通りのタイプ・テキストボックス１６、そして最後に郵便番号テキストボックス１２が示されてよい。別の実施形態において、ユーザは、インタラクション（例えばズーミングおよびパニング）を可能にするインタラクティブなマップを備えていてもよい。この実施形態では、表示されるときに、ユーザは、マップ上のズーミングおよびパニングによって、そして次いで資産の表現をたたくかまたはクリックすることによって、関心のある資産に関する資産データの詳細を入力することができる。
【００３９】
代わりにまたは加えて、進入の位置は、経度および緯度を用いて記録されてよい。そしてそれは、例えば、農業への適用において役立ってよい。というのも、大きな農場は、それに接続される１アドレスだけを有してよいからである。
【００４０】
代わりにまたは加えて、クライアント・デバイスは、資産の位置を識別するためにＧＰＳを使用してよい。例えば、害虫防除者のようなユーザは、検査を引き受けるために資産に物理的に立ち入ってよく、ＧＵＩに彼の位置を入力するためにスマートフォンのＧＰＳモジュールを使用してよい。ＧＵＩは、その情報が提出される前に、ユーザがアドレスまたは位置が正しいことを確認するのを可能にする。
【００４１】
資産データが妥当でないとわかる場合、進入追跡システムは、受信した資産データが妥当なことを確認してもよく、そしてエラーメッセージを返信してもよい。例えば、ユーザが資産データを（例えば、通りアドレスを入力して、検索ボタン２０をクリックすることによって、または、表示されたマップ上の資産をたたくことによって）入力している際に、クライアント・デバイスは、ネットワークを通じてその資産データをモジュールに送信してもよい。資産データを受信する際に、モジュールは、それを任意の適切なデータベースと照合してもよい。この種のデータベースは、（例えば、サーバと関連したメモリデバイスに）ローカルに格納されてもよく、またはネットワークを通じてアクセスされてもよい。
【００４２】
進入追跡システムは、５人のユーザ（例えば主要なユーザ）に進入データを出力するかまたは表示すように調整される。ユーザが資産データを入力している際に、クライアント・デバイスは、ネットワークを通じてその資産データをモジュールに概して送信する。資産データを受信している際に、モジュールは、その資産データを任意の適切かつ必要な仕方でデコードしてもよく、非解析（ｕｎｐａｒｓｅ）してもよく、構成してもよく、順番に並べてもよく、または処理してもよい。そしてそれは、それが遠隔で格納されてよいけれども、概してデータベースに格納される進入データ・セットとそれが比較されることができるように、送信のために資産データがどのように処理されたかに依存してもよい。進入データ・セットは、複数の進入記録を概して含む。そしてその各々は、現在のものでもよくまたは歴史的なものでもよい。
【００４３】
各進入記録は、以下に関係するデータを含んでよい。ｉ）進入アドレス（本明細書ではアドレス・データ）（郵便番号、通りの名前、通りのタイプおよび通りの番号を含んでよい）、ｉｉ）進入を発見したかまたは記録した害虫防除者の詳細（本明細書では害虫防除者・データ）（会社名、電話番号、ファックス番号、電子メール・アドレス、物理アドレスおよびウェブサイト・アドレスを含んでよい）、ｉｉｉ）害虫コントロール手段が引き受けられたかどうかを示す変数、および、ｉｖ）エントリが記録された日付（本明細書では日付データ）。１つのアドレスに関して複数の進入記録があってもよい。そしてそれは、対応する資産が２回以上調査を受けたかまたは扱われたことを概して示す。
【００４４】
類似のデータは、それが問題の適用に概して関連があるけれども、アスベスト、農業または他の適用において提供されてよい。例えば、アスベストの適用では、データは、アスベストを除去するために作業がなされたかどうかに関係してよい。
【００４５】
進入追跡システムまたはモジュールは、受信した資産データを格納されたアドレス・データと比較するように調整される。進入追跡システムまたはモジュールは、受信した資産データに一致するかまたは対応するアドレス・データを有するいかなる進入データまたは記録も引き出すようにさらに調整される。特に、モジュールは、資産データが１つ以上の進入記録に対応するかどうか決定するために、地理的マッチングプロセスを実行してもよい。地理的マッチングプロセスは、郵便番号、通りの名前、または進入記録および資産データの危険領域の比較１つ以上を概して含む。しかしながら、地理的マッチングプロセスは、任意の類似の仕方で実行されてよい。危険領域は、アドレスを中心として定義済み半径を有する円によって定義されてよい。しかし、危険領域は、他の任意の好適な仕方で定められてよい。モジュールは、ネットワークを通じてクライアント・デバイスに送信するための任意の好適な仕方で進入記録を解析してよく、コード化してよく、または処理してよい。
【００４６】
クライアント・デバイス上のアプリケーションまたはウェブサイトの実行は、ユーザに表示されるＧＵＩを更新するように調整されて、進入記録を受信する際に概してそうする。実施形態において、ＧＵＩは、以下を表示するために更新されてよい。ｉ）１つ以上の進入記録が問題の資産のアドレスのために存在することを示す通知テキスト２２、ｉｉ）問題の資産のアドレスを再生するアドレス・テキスト２４、ｉｉｉ）資産をマークする位置標識２８を用いて、資産を中心としてその周辺領域を表示するマップ２６、ｉｖ）日付データ３２、害虫コントロール手段が引き受けられた（行動変数に依存する）かどうかの徴候３４、および害虫防除者・データ３６（進入を報告した会社の名前でもよい）の徴候、の各々受信した進入記録のための表示するテーブル３０。進入記録が受信されない場合、ＧＵＩは、記録が存在しないことを示す通知テキストを表示するために制御されてもよい。
【００４７】
図３を参照すると、クリックされるかまたは軽くたたかれるときに、ポップアップ・ボックス３８を介して害虫防除者についてのさらなる情報を表示させるリンクとして、害虫防除者・データ３６の徴候は、提供されてよい。この種の詳細情報は、害虫防除者の会社名、電話番号、ファックス番号、電子メール・アドレス、物理アドレスおよびウェブサイト・アドレスを含んでよい。代わりに、詳細情報は、ホーバーボックスまたはツールチップに提供されてもよい。ＧＵＩがウェブサイトまたはコンピュータ・アプリケーションの一部として提供されるときに、表示された（ｉ）ウェブサイトおよび（ｉｉ）電子メール・アドレスは、（ｉ）害虫防除者のウェブサイトにナビゲートする、および（ｉｉ）害虫防除者の電子メール・アドレスおよび任意の報告対象メッセージまたはボディ・メッセージまたは両方を含むウィンドウを構成する電子メールを開く、クリック可能なリンクとして提供されてよい。モバイルアプリケーションは、ユーザがたたける電話番号リンクを軽くたたいている際に、害虫防除者を呼び出す機能に加えて、同程度の機能性を有してよい。しかしながら、害虫防除者・データは、任意の好適な仕方でユーザに提供されてよく、または表示されてよい。
【００４８】
図４を参照すると、実施形態において、ＧＵＩは、表示マップ４１上の１つ以上の危険領域４０を強調するために制御されてよい。ここで、危険領域４０は、周知の進入に基づいて進入または損害への可能性を示す。ＧＵＩは、受信した資産データに基づいて１つ以上の危険領域４０を強調するために概して制御される。例えば、シロアリは、それらの巣から食物源まで５００メートルで移動することが知られている。そして、それ自体、巣から５００メートル以内の資産は、危険にさらされるかもしれない。この実施形態では、ＧＵＩは、ｉ）例えば、アイコン４２を用いて巣の位置をマークして、ｉｉ）中心点（すなわち巣またはアイコン４２）からの半径（例えば５００メートル）に基づく円４４をプロットして、そしてｉｉｉ）危険領域４０を示すために、円４４の範囲内の領域に透過的に陰影をつける、ために制御される。いくつかの実施形態では、ＧＵＩは、巣またはアイコン４２を表示しない。いくつかの実施形態では、円の半径は、問題の害虫または種に応じて、そして周知の巣または進入の特性に応じて（例えば、サイトを調査した害虫防除者にしたがって）、変化してよい。例えば、アスベストの設置は静的で、移動しないので、円または半径のない単純なアイコンがアスベストの適用において表示されてよい。しかしながら、家畜自体または家畜の病気または作物の病気は移動しうるので、円または半径を有するアイコンが農業の適用において用いられてよい。
【００４９】
いくつかの実施形態では、円以外の形状（例えばポリゴンまたは自由な形のパス）が、使われてよい。危険領域は、任意の好適な仕方で陰影をつけられてよく、または表示されてよい。いくつかの実施形態では、受信した資産データは、２つ以上の進入の近くにあってもよい。その場合には、対応する２つ以上の危険領域４０が表示されてよい。このような実施形態では、資産データによって示される資産は、両方の重なり合う部分または表示される全ての危険領域に入ってよい。
【００５０】
進入の危険のよりよい指示をユーザに与えるために、ＧＵＩは、１つ以上の進入される通り４６を強調するために制御されてよい。荒らされる通り（ｉｎｆｅｓｔｅｄ  ｓｔｒｅｅｔ）４６は、概して、ｉ）通りの全部または一部が危険領域４０に入る、そしてｉｉ）その通り上の少なくとも１つの住宅のためのデータベースに進入記録がある、通りである。例えば、図３において、Ｃｈａｕｖｅｌストリート４６ａ、ウートンコート４６ｂおよびＲｉｓｓｏｎストリート４６ｃは、荒らされる通り４６として識別される。というのも、それらが黒い境界によって強調されるので、そしてそれは、それらが各々完全にまたは部分的に危険領域４０の範囲内にあり、少なくとも１つの資産のための進入記録を有することを意味するからである。荒らされる通り４６を強調することは、任意の好適な仕方で引き受けられてよい。
【００５１】
実施形態では、ＧＵＩは、例えば、マップをズームインおよびアウトすることによって、ならびにマップをパンするか、翻訳するかまたはスクロールすることによって、マップ４１がどのように表示されるかをユーザが制御することを可能にする。マップ４１がどのように表示されるかをユーザが変えるにつれて、異なる周知の進入は、任意の好適な仕方で強調されてよく、または表示されてよい。
【００５２】
ＧＵＩは、任意の好適な仕方で使われてよいいくつかの広告スペース４８を含んでよい。実施形態では、第１の広告スペース４８ａは、危険領域４０の範囲内の進入記録にごく最近入ったか、更新したかまたは修正した害虫防除者の広告を表示する。第２の４８ｂおよび第３の４８ｃ広告スペースは、それぞれ、第２のおよび第３の害虫防除者が危険領域４０の範囲内の進入記録にごく最近入ったか、更新したかまたは修正した、他のユニークな害虫防除者の広告を同様に表示してよい。第４の広告スペース４８ｄは、登録されたかまたは危険領域４０の範囲内で働いた害虫防除者の全てに関する情報へのリンクを提供してもよい。第５の広告スペース４８ｅは、いかなる適切な広告（例えばローカル事業の広告）の表示も可能でよい。そこでは、特定の広告が受信した資産データまたは郵便番号に基づいて表示されてよい。
【００５３】
図４に示されるＧＵＩは、コンピュータまたはスマートフォン上にインストールされるウェブ・ブラウザを通して、コンピュータ上にインストールされるスタンドアロン・アプリケーションを通して、またはスマートフォン上にインストールされるモバイルアプリケーションを通して、ユーザに提供されてよい。
【００５４】
図５を参照すると、進入追跡システムは、スマートフォン５２上にインストールされるスマートフォンアプリケーション５０を介して、ユーザによってアクセスされてよい。本明細書に記載されるいかなる関連した実施形態によっても、または他の任意の好適な仕方でも、スマートフォンアプリケーション５０は、ＧＵＩを提供してよい。そしてそのＧＵＩは、アプリケーション５０を開いている際に、ユーザがアカウントにログインした後、表示されてよい。スマートフォンアプリケーション５０は、無料で、１回限りの料金で、繰り返される料金で、または他の任意の好適な仕方で、ユーザに提供されてよい。スマートフォンアプリケーション５０は、スマートフォン５２上のインストールのためのアプリケーションストアから概してダウンロードされる。しかし、それは、任意の好適な仕方で提供されてよく、または獲得されてよい。スマートフォンアプリケーション５０は、Ａｎｄｒｏｉｄオペレーティングシステムを実行するスマートフォン用のＧｏｏｇｌｅ  Ｐｌａｙアプリケーションストア、Ｗｉｎｄｏｗｓ  Ｐｈｏｎｅオペレーティングシステムを実行するスマートフォン用のＷｉｎｄｏｗｓ  Ｐｈｏｎｅ  Ｓｔｏｒｅ、ｉＯＳオペレーティングシステムを実行するスマートフォン用のＡｐｐｌｅ  Ａｐｐ  Ｓｔｏｒｅ、または他の任意の適切なアプリケーションストアから、ユーザに提供されてよい。
【００５５】
無料で提供される実施形態では、スマートフォンアプリケーション５２は、ユーザが１週間につき１つの検索を実行することができるように構成される。そしてその後、検索機能性は、その週の残りの間無効にされる。代わりに、スマートフォンアプリケーション５２は、ユーザが１日につき１つの検索、１日につき２つの検索、または任意の適切な期間を通じて他の任意の適切な数の検索を実行することができるように構成されてもよい。スマートフォンアプリケーション５２は、例えば、アプリの購入を通して、ユーザが１つのまたは複数の追加的検索のための料金を払うことができてもよい。例えば、アプリの購入を通して、追加的機能は、スマートフォンアプリケーション５２の無料バージョンにおいてロック解除されてもよい。無料で提供される実施形態では、スマートフォンアプリケーション５２は、規制なしで、ユーザが１日当たり無制限の量の検索を実行することができるように構成される。追加的機能は、スマートフォンアプリケーション５２の購入時に提供されてもよく、または、例えば、アプリの購入を通して、さらなる料金の支払いにおいて提供されてもよい。しかしながら、アプリ、アプリの機能、検索の（全体のまたは期間を通じての）数、検索可能な郵便番号、報告、およびアラームは、任意の好適な仕方で課金されて（または課金されなくて）よい。
【００５６】
進入追跡システム管理者は、スマートフォンまたはコンピュータ・アプリケーションの販売、アプリの購入、広告、会費または登録料金、あるいは他のいかなる適当な手段によっても、収入を生み出してよい。
【００５７】
実施形態において、ユーザは、それらに関連する新しい進入データの作成に際してユーザに通知する警報システムに加入することができる。この実施形態では、ユーザは、例えば、ユーザー名およびパスワードを登録することによって、進入追跡システムについてのユーザーアカウントを概して創設する。通知が届けられることができるように、ユーザは、関心のある資産に関連した資産データを提供してもよく、情報に接触してもよい。新しい進入データ（害虫防除者によって概してアップロードされる）をつくるに際して、関心のあるすべての登録された資産が危険領域にあるか、または部分的に危険領域にある通り上にあるかどうか調べるために、そして、関心のある登録された１つまたは複数の資産が危険にさらされているそれらのユーザに通知するために、進入追跡システムは、調整されてよい。例えば、関心のある登録された資産が危険領域にあると決定される場合、通知は、それらの登録された連絡先にしたがって対応するユーザに送られる。通知は、電子メール、テキストメッセージを介してまたは他の任意の好適な仕方で届けられてよい。通知は、問題の関心のある資産、進入追跡システムウェブサイトに対するリンク、進入入力をつくった害虫防除者の詳細、および進入それ自体の詳細、を識別してもよい。代わりに、それらのスマートフォン５０に直接届けられるポップアップ・ボックスまたは他の通知によって、ユーザは、通知されてもよい。例えば、新しいデータを受信するに際して、進入追跡システムは、そのデータの特定の半径（例えば５００ｍ）の範囲内でそれらに対するアラームセットを有するいかなる資産についても調べてよい。この種のアラームまたは警報機能は、機能を完全にロック解除することによって、またはユーザが一定数の資産に警報を伝えることができることによって、無料でもよく、または課金されてもよい。
【００５８】
資産に注目するときに、害虫検査のための料金を払うべきかどうか、危険領域を理解するべきかどうかの決定において支援するために、進入追跡システムを使用することに関心を持っている住宅購入者は、主要なユーザに含まれてよい。彼等の住宅を売却するときに、マーケティングの一部としてまたは他の材料として害虫検査報告を提供するべきかどうかの決定において支援するために、進入追跡システムを使用することに関心を持っている住宅売却者も、主要なユーザに含まれてよい。彼等の資産を囲んでいる危険についての、そして一般の関心理由のための知識を得るために、進入追跡システムを使用することに関心を持っている住宅所有者または居住者も、主要なユーザに含まれてよい。
【００５９】
受信した害虫防除者のアカウント情報（データベースに格納されてよい）に基づいて登録された害虫防除者ごとにデータプロバイダ・アカウント（例えば害虫防除者・アカウント）を創設するために、進入追跡システムは、概して調整される。害虫防除者は、ウェブ・ブラウザ、スマートフォンアプリケーションまたは他の任意の好適な仕方を介して、進入追跡システムを用いて害虫防除者・アカウントを創設してよい。害虫防除者・アカウントは、ユーザー名、パスワード、会社名、物理アドレス、電子メール・アドレス、電話番号、ファックス番号、およびウェブサイト・アドレスのうちの１つ以上を含んでよい。このアカウント情報は、図４に示される広告において使われてよい。害虫コントロール会社は、サブアカウントが各々のために創設されてよい複数の従業員を有してもよい。
【００６０】
進入追跡システムへのアクセスを有するために、害虫防除者は、進入追跡システム管理者または所有者に毎日、毎週、毎月、毎年、または他の適切な会費または登録料金を支払うことを必要としてもよい。料金は、会社当たり、会社当たりの従業員当たり、または他の任意の好適な仕方で請求されてよい。害虫防除者は、例えば、彼等が働くところのまたは彼等が働くことを望むところの１つ以上の特定の郵便番号のために登録することを必要としてもよい。そして、登録料金は、郵便番号の数または位置または両方に依存してよい。
【００６１】
害虫防除者にとって、進入追跡システムへのアクセスを有することは、例えば、ユーザに表示される広告および一般にそれらの会社または事業のプロモーションを通して持ち込まれる新しい作業の可能性に起因して、有利でもよい。進入追跡システムへのアクセスを有することは、害虫防除者による危険領域のよりよい理解を助けてもよく、そして、彼等が作業および広告の目標をどこにするか決めるのを助けてもよい。
【００６２】
コンピュータ上またはスマートフォン上で、進入追跡システムにログインしている際に図３〜図５に示されるユーザのＧＵＩ５と異なるＧＵＩによって、害虫防除者は、示されてもよい。害虫防除者ＧＵＩは、モジュールに送信するための引き受けた害虫コントロール作業についての情報を受信するために、そして適切な仕方でデータベースに記憶するために、概して調整される。
【００６３】
アカウント保持の害虫防除者は、害虫コントロール作業（例えばシロアリのコロニーまたは巣を煙蒸するかまたは汚染する）を引き受けるために従事してよい。この種の作業の完了に際して、害虫防除者は、情報、結果、なされた作業の記録、または進入追跡システムへの進入に関する他の任意の適切な情報を含んでよい作業データをアップロードすることができる。そして進入追跡システムは、処理および記憶のためのこの種の情報を受信するように調整される。この種の作業データは、日時（すなわち日付データ）、問題の資産のアドレス（すなわちアドレス・データ）、害虫防除者が危険であってよいと信じる問題の通り上の通りの番号の範囲、いかなる害虫が発見されたかどうか、どのような種類の害虫が発見されたか、害虫のサイズ、行動がとられたかどうか、どのような行動がとられたか、および参照またはジョブ番号、のうちの１つ以上を含んでよい。害虫防除者・データは、ログイン・アカウントに基づいて自動的に追加されてよいことに注意されたい。いくつかの実施形態では、ＧＵＩは、個々の資産が識別されるのを防止するために、作業が引き受けられた特定のアドレスを害虫防除者が入力することを許容しない。むしろ、ＧＵＩは、通りの番号の範囲（例えば、（一連の隣接した資産のための）２つのポイントまたは（隣接した資産の領域のための）３つのポイント間の通りの番号）が入力されることを許容してもよい。害虫防除者により提供される情報は、情報または作業の完全性が問題となるべく確かめられることを必要としてもよい。害虫防除者は、データベースにおいて維持される情報を有するために、人工産物または他の確かめる証明を提供することを必要としてもよい。例えば、害虫防除者は、請求書、検査文書または他のいかなる適切な記録に対しても確かめられることができる参照番号のような人工産物を提供してもよい。これは、任意の適切なユーザ（例えば住宅所有者または競争している害虫防除者）によって主張される記録の確実性を確かめる際に支援するかもしれない。
【００６４】
モジュールは、作業データを受信する際に、データベースに格納される進入記録を修正するかまたは更新するように調整される。進入記録の範囲内にすでに存在しないアドレスを含む作業データを受信する際に、新しい進入データは、データベースにおいて概してつくられる。代わりに、進入記録の範囲内にすでに存在するアドレスを含む作業データを受信する際に、進入データは、新しい入力によって更新されてよい。概して、データプロバイダは、データベースから進入データを削除するためにモジュールを制御することが可能でない。概して、地理的マッチングプロセスは、提出された作業データが既存の進入記録と一致するかどうか、または、新しい進入記録がつくられることが必要かどうか決定するために、実行される。
【００６５】
他の利害関係者は、彼等が商業的決定をするのを助けてもよいシステムによって集められる情報にアクセスするために、進入追跡システム管理者との契約を入力してもよい。他の利害関係者は、進入追跡システムにアクセスするために適切な会費または登録料金を支払うことを概して必要とする。システム管理者は、セットされた数の検索に対する一回限りの料金、無制限のアクセスに対する一回限りまたは繰り返される料金、を請求してもよく、または他の任意の適切な構造を使用してもよい。住宅ローン金融業者、銀行、保険会社、業界人達、不動産開発業者および不動産投資家のような第三者は、特定の資産または領域に商業的または投資的な関心を有してもよい。そして、それ自体、進入の危険度または潜在的危険度についての知識は、彼等の商業的または投資的な決定に影響を及ぼしてもよく、またはそれを変更してもよい。例えば、住宅ローン金融業者は、高い危険領域にある資産の住宅ローンを承認して、害虫検査が引き受けられるべきかどうか決定するために、進入追跡システムを使用することが可能でもよい。
【００６６】
他の利害関係者は、（必要に応じて）料金を支払って進入追跡システムについてのアカウントを創設することが可能でもよい。他の利害関係者は、彼等のアカウントにログインする際に、図３〜図５に示されるユーザＧＵＩによって概して示される。しかし、任意の適切なＧＵＩを示されてもよい。例えば、銀行は、進入追跡システムを加入してもよく、それらの内部コンピュータシステムを通してそれにアクセスしてもよい。これは、ローン役員が彼等自身のシステムを離れることなく、進入危険のためのアドレスを即座に評価することを可能にする。一般に、ＧＵＩは、進入追跡システム管理者によってカスタマイズ可能でもよい、そして、ユーザは、カスタムＧＵＩの使用を求めて交渉することが可能でもよい。
【００６７】
害虫コントロール供給元は、潜在的関係を形成することのできる害虫防除者についての情報を集めるために、シロアリ群棲追跡システムを使用することに関心を持っていてもよい。さらに、害虫コントロール供給元は、害虫防除者およびユーザに対して技術および処理における彼等の製品および開発を促進するために、図４に示される広告スペースを使用してもよい。
【００６８】
スマートフォンアプリケーション、コンピュータ・アプリケーションまたはウェブサイトは、ユーザまたは市民に進入についての一般情報を表示するように調整されてもよい。例えば、システムは、進入、季節的な情報、処理、および予防処置のサインについての物品を表示するように調整されてよい。ユーザまたは市民に新たな危険、製品、害虫防除者、および他の任意の適切な内容についての情報を提供する周期的に更新しているブログは、提供されてよい。この種の物品、情報またはブログは、メニューを通してまたはウェブサイト上のリンクをクリックすることによってアクセス可能な別々のＧＵＩに提供されてよい。
【００６９】
概して、パブリックビューイング（料金の支払いを必要とするかどうか）のために利用可能となるデータは、資産のオーナーおよび他の関連する当事者のプライバシーを保護するために、特定の資産の完全なアドレスまたは座標を含まない。
【００７０】
本発明の当業者にとって、本発明の精神および範囲から逸脱することなく多くの修正がなされてよいことが理解されよう。
【００７１】
続く請求項において、そして本発明の以前の記載において、文脈が要求するかさもなければ明らかな言語または必要な含みのために必要とする場合を除き、用語「含む」またはその変化は、含んでいる感覚において、すなわち、定まった特徴の存在を特定するが、本発明の各種実施形態のさらなる特徴の存在または追加を排除しないために、使用される。
【００７２】
任意の従来技術が本明細書において参照される場合、この種の参照は、オーストラリアまたは他のいかなる国でも、この種の従来技術が技術の共通の一般知識の一部をなすという承認を構成しないことを理解すべきである。
【図１】
0006336578.tif 000002
【図２】
0006336578.tif 000003
【図３】
0006336578.tif 000004
【図４】
0006336578.tif 000005
【図５】
0006336578.tif 000006